(57)【特許請求の範囲】
【請求項１】
予め定められた上限までの印刷量を印刷可能とする印刷動作を行う印刷可能状態と、前記印刷動作の終了後の所定の休止時間では前記印刷動作を停止させる休止状態と、を交互に繰り返し移行する印刷モードである制限モードに移行し得る画像形成装置の制御装置であって、
前記休止状態のときに前記画像形成装置への印刷動作実行要求が受け付けられた際、前記印刷動作実行要求による印刷量に基づき、前記画像形成装置に印刷動作を行わせるか否かを判定する印刷動作判定部と、
前記画像形成装置に印刷動作を行わせるか否かの判定結果に応じて前記画像形成装置の印刷動作を制御する印刷制御部と、を備えることを特徴とする画像形成装置の制御装置。
【請求項２】
前記印刷動作判定部は、前記印刷動作実行要求による印刷量が前記印刷量以下である場合、前記画像形成装置に印刷動作を行わせると判定することを特徴とする請求項１に記載の画像形成装置の制御装置。
【請求項３】
前記印刷制御部は、前記休止状態において前記画像形成装置に印刷動作を行わせた後、前記休止時間がその印刷動作の前の休止時間よりも長い休止状態となるように前記画像形成装置の印刷動作を制御することを特徴とする請求項１又は２に記載の画像形成装置の制御装置。
【請求項４】
前記印刷制御部は、前記休止状態において前記画像形成装置に印刷動作を行わせた後、前記休止時間がその印刷動作の前の休止時間よりも、前記休止状態に移行してからその印刷動作が行われるまでの経過時間と前記休止時間との差分だけ長い休止状態となるように前記画像形成装置の印刷動作を制御することを特徴とする請求項１乃至３いずれか１項に記載の画像形成装置の制御装置。
【請求項５】
前記画像形成装置が前記制限モードに移行してからの経過時間を計測する経過時間計測部と、
前記画像形成装置が前記制限モードに移行してからの前記画像形成装置の累積印刷量を計測する印刷量計測部と、
計測された前記経過時間及び前記累積印刷量に基づき、前記画像形成装置が前記休止状態に移行してからの単位時間当たりの印刷量である単位印刷量を算出する単位印刷量算出部と、を備え、
前記印刷動作判定部は、前記画像形成装置が前記休止状態にあるときに前記印刷動作実行要求が受け付けられた際、前記印刷動作実行要求が仮に実行されたとして算出された前記単位印刷量に基づき、前記画像形成装置に印刷動作を行わせるか否かを判定することを特徴とする請求項１に記載の画像形成装置の制御装置。
【請求項６】
前記印刷動作判定部は、前記画像形成装置が前記休止状態にあるときに前記印刷動作実行要求が受け付けられた際、前記印刷動作実行要求が仮に実行されたとして算出された前記単位印刷量が予め定められている単位印刷量以下である場合、前記画像形成装置に印刷動作を行わせると判定することを特徴とする請求項５に記載の画像形成装置の制御装置。
【請求項７】
前記印刷制御部は、前記画像形成装置が前記制限モードから解除された際、計測された前記経過時間及び前記累積印刷量を０にクリアすることを特徴とする請求項５又は６に記載の画像形成装置の制御装置。
【請求項８】
前記印刷動作判定部は、前記画像形成装置が前記制限モードにあるときに前記印刷動作実行要求が受け付けられた際、前記印刷動作実行要求が仮に実行されたとして算出された前記単位印刷量に基づき、前記画像形成装置に印刷動作を行わせるか否かを判定することを特徴とする請求項５乃至７いずれか１項に記載の画像形成装置の制御装置。
【請求項９】
前記休止状態のときには前記印刷動作時に行われる印刷物への加熱に用いる定着ユニットの動作を停止させることを特徴とする請求項１乃至８のいずれか一項に記載の画像形成装置の制御装置。
【請求項１０】
予め定められた上限までの印刷量を印刷可能とする印刷動作を行う印刷可能状態と、前記印刷動作の終了後の所定の休止時間では前記印刷動作を停止させる休止状態と、を交互に繰り返し移行する印刷モードである制限モードに移行し得る画像形成装置の制御プログラムであって、
前記休止状態のときに前記画像形成装置への印刷動作実行要求が受け付けられた際、前記印刷動作実行要求による印刷量に基づき、前記画像形成装置に印刷動作を行わせるか否かを判定するステップと、
前記画像形成装置に印刷動作を行わせるか否かの判定結果に応じて前記画像形成装置の印刷動作を制御するステップと、を前記画像形成装置に実行させることを特徴とする画像形成装置の制御プログラム。
【請求項１１】
前記休止状態のときには前記印刷動作時に行われる印刷物への加熱に用いる定着ユニットの動作を停止させるステップを前記画像形成装置に実行させることを特徴とする請求項１０に記載の画像形成装置の制御プログラム。
【請求項１２】
予め定められた上限までの印刷量を印刷可能とする印刷動作を行う印刷可能状態と、前記印刷動作の終了後の所定の休止時間では前記印刷動作を停止させる休止状態と、を交互に繰り返し移行する印刷モードである制限モードに移行し得る画像形成装置の制御方法であって、
前記休止状態のときに前記画像形成装置への印刷動作実行要求が受け付けられた際、前記印刷動作実行要求による印刷量に基づき、前記画像形成装置に印刷動作を行わせるか否かを判定し、
前記画像形成装置に印刷動作を行わせるか否かの判定結果に応じて前記画像形成装置の印刷動作を制御する
ことを特徴とする画像形成装置の制御方法。
【請求項１３】
前記休止状態のときには前記印刷動作時に行われる印刷物への加熱に用いる定着ユニットの動作を停止させることを特徴とする請求項１２に記載の画像形成装置の制御方法。
【発明の詳細な説明】
【技術分野】
【０００１】
本発明は、画像形成装置の制御装置、画像形成装置の制御プログラム、画像形成装置の制御方法に関する。
【背景技術】
【０００２】
近年、電子化された情報の出力に用いられる画像形成装置は欠かせない機器となっている。このような画像形成装置のうち、電子写真方式を利用した画像形成装置が知られている。
【０００３】
電子写真方式の画像形成装置において長時間連続印刷が行われると、現像装置や定着装置が長時間駆動し続けることにより画像形成装置内部の温度が上昇する。この温度上昇によりトナーの溶解や凝集が進行し画像形成装置が故障したり、印刷品質が低下したりする可能性がある。
【０００４】
そこで、冷却ファンやダクトなどにより画像形成装置内部の温度が所定温度以上とならないように制御したり、印刷動作と休止状態とを繰り返すことで画像形成装置内部の温度が一定温度以上とならないように制御したりする技術が既に知られている（例えば、特許文献１を参照）。
【発明の概要】
【発明が解決しようとする課題】
【０００５】
ところが、画像形成装置内部の温度上昇を抑制するために冷却ファンを多数設けると、その分だけ装置が大型化したり、イニシャルコストやランニングコストが上昇したり、騒音が発生したりするといった問題がある。
【０００６】
また、印刷動作と休止状態とを繰り返す制御をおこなった場合、休止状態中は印刷を行うことができないため利便性が低下するといった問題がある。尚、このような問題は、電子写真方式を利用した画像形成装置に限らず、インクジェット方式やその他の方式を利用した画像形成装置においても同様に起こり得る。
【０００７】
本発明は、上記実情を考慮してなされたものであり、利便性を低下させることなく簡易な構成で機内温度の上昇を抑制する画像形成装置を提供することを目的とする。
【課題を解決するための手段】
【０００８】
上記課題を解決するために、本発明の一態様は、予め定められた上限までの印刷量を印刷可能とする印刷動作を行う印刷可能状態と、前記印刷動作の終了後の所定の休止時間では前記印刷動作を停止させる休止状態と、を交互に繰り返し移行する印刷モードである制限モードに移行し得る画像形成装置の制御装置であって、前記休止状態のときに前記画像形成装置への印刷動作実行要求が受け付けられた際、前記印刷動作実行要求による印刷量に基づき、前記画像形成装置に印刷動作を行わせるか否かを判定する印刷動作判定部と、前記画像形成装置に印刷動作を行わせるか否かの判定結果に応じて前記画像形成装置の印刷動作を制御する印刷制御部と、を備えることを特徴とする。
【発明の効果】
【０００９】
本発明によれば、画像形成装置において、利便性を低下させることなく簡易な構成で機内温度の上昇を抑制する画像形成装置を提供することができる。
【図面の簡単な説明】
【００１０】
【図１】本発明の実施形態に係る画像形成装置を主走査方向から示す断面図である。
【図２】本発明の実施形態に係る画像形成装置のハードウェア構成を模式的に示すブロック図である。
【図３】本発明の実施形態に係る画像形成装置の機能構成を模式的に示すブロック図である。
【図４】本発明の実施形態に係る画像形成装置がとり得る印刷モードと各印刷モードにおける印刷制御とを示す図である。
【図５】本発明の実施形態に係る画像形成装置における各印刷モード間の移行条件の一例を示す図である。
【図６】本発明の実施形態に係る画像形成装置が各印刷モード間を移行する際の様子を示す図である。
【図７】本発明の実施形態に係る画像形成装置が制限モード２にあるときの印刷制御を説明するためのフローチャートである。
【図８】本発明の実施形態に係る画像形成装置が制限モード２にあるときの印刷制御を説明するためのフローチャートである。
【図９】直接転写方式のモノクロ画像形成装置の一例である。
【発明を実施するための形態】
【００１１】
実施の形態１．
以下、図面を参照して、本発明の実施形態を詳細に説明する。本実施形態においては、電子化された情報の出力に用いられる画像形成装置のうち、電子写真方式を利用した画像形成装置を例にして説明する。
【００１２】
まず、本実施形態に係る画像形成装置１の全体構成について、図１を参照して説明する。図１は、本実施形態に係る画像形成装置１を主走査方向から示す断面図である。
【００１３】
図１に示すように、画像形成装置１は、駆動ローラ１３７と従動ローラ１３８と二次転写ローラ１３９ａとに架け渡された転写ベルト１３６に沿って、この転写ベルト１３６の搬送方向の上流側から順に、複数の作像ユニット、作像ユニット１２９Ｃ、作像ユニット１２９Ｍ、作像ユニット１２９Ｙ、作像ユニット１２９Ｋを備えている。
【００１４】
これら複数の作像ユニット１２９Ｃ、１２９Ｍ、１２９Ｙ、１２９Ｋは、形成するトナー画像の色が異なるだけで内部構成は共通である。作像ユニット１２９Ｃはシアンの画像を、作像ユニット１２９Ｍはマゼンタの画像を、作像ユニット１２９Ｙはイエローの画像を、作像ユニット１２９Ｋはブラックの画像をそれぞれ形成する。
【００１５】
尚、作像ユニット１２９Ｍ、１２９Ｙ、１２９Ｋの各構成要素は作像ユニット１２９Ｃと同様である。従って、以下の説明においては、作像ユニット１２９Ｃについて具体的に説明するが、他の作像ユニットの各構成要素については、作像ユニット１２９Ｃの各構成要素に付したＣに替えて、Ｍ、Ｙ、Ｋによって区別した符号を図に表示するにとどめる。
【００１６】
作像ユニット１２９Ｃは、感光体としての感光体ドラム１３０Ｃ、この感光体ドラム１３０Ｃの周囲に配置された帯電器１３１Ｃ、現像器１３２Ｃ、除電器１３３Ｃ、トナー回収ユニット等から構成されている。
【００１７】
この作像ユニット１２９Ｃは、画像形成に際してまず、感光体ドラム１３０Ｃの外周面を暗中にて帯電器１３１Ｃにより一様に帯電される。
【００１８】
そして、一様に帯電した感光体ドラム１３０Ｃへ光書き込み装置１３４Ｃからシアン画像に対応した光を照射させることにより静電的に書き込みを行い、感光体ドラム１３０Ｃの外周面に静電潜像を形成する。作像ユニット１２９Ｃは、現像器１３２Ｃによりこの静電潜像をシアントナーで可視像化することにより感光体ドラム１３０Ｃの外周面上にシアンのトナー画像を形成する。
【００１９】
一次転写ローラ１３５Ｃを感光体ドラム１３０Ｃに押し当てることで、転写ベルト１３６上にこのトナー画像を転写する。この転写により、転写ベルト１３６上にはシアンのトナーによる画像、即ち、シアンの中間転写画像が形成される。
【００２０】
このとき、一次転写ローラ１３５Ｃに印加された転写バイアスによって、感光体ドラム１３０Ｃと一次転写ローラ１３５Ｃとの間で転写電界が形成されている。そして、この転写電界の作用により感光体ドラム１３０Ｃから転写ベルト１３６にトナー画像が転写される。
【００２１】
シアンの中間転写画像を転写ベルト１３６に形成し終えると、感光体ドラム１３０Ｃの外周面上に残留したトナーをトナー回収ユニットにより回収した後、感光体ドラム１３０Ｃの外周面を除電器１３３Ｃにより除電する。そして、作像ユニット１２９Ｃは、次の画像形成のための準備を行って待機する。
【００２２】
以上のようにして転写ベルト１３６上に転写されたシアンの中間転写画像は、駆動モータと駆動ローラ１３７と従動ローラ１３８と二次転写ローラ１３９ｂとにより転写ベルト１３６が移動することで次の作像ユニット１２９Ｍに搬送される。
【００２３】
作像ユニット１２９Ｍは、作像ユニット１２９Ｃでの画像形成プロセスと同様のプロセスにより感光体ドラム１３０Ｍ上にマゼンタのトナー画像を形成する。そして、作像ユニット１２９Ｍは、そのマゼンタのトナー画像を既に形成されたシアンの中間転写画像に重畳して転写ベルト１３６上に転写する。この転写により、転写ベルト１３６上にはマゼンタのトナーによる画像、即ち、マゼンタの中間転写画像が形成される。
【００２４】
転写ベルト１３６上に形成されたシアン、マゼンタの中間転写画像は、さらに次の作像ユニット、作像ユニット１２９Ｙ、作像ユニット１２９Ｋに順次搬送される。そして、同様の動作により、感光体ドラム１３０Ｙ上に形成されたイエローのトナー画像と、感光体ドラム１３０Ｋ上に形成されたブラックのトナー画像とが、既に形成されている中間転写画像に重畳されて転写ベルト１３６上に転写される。
【００２５】
この転写により、転写ベルト１３６上にはイエローのトナーによる画像とブラックのトナーによる画像、即ち、イエローとブラックとの中間転写画像が形成される。こうして、転写ベルト１３６上にフルカラーの中間転写画像が形成される。
【００２６】
このようにして転写ベルト１３６上にフルカラーの中間転写画像が形成されると、シート供給トレイ１０１に収納されたシートＳが分離ローラ１０２とシート供給ローラ対１０３、１０４、１０５とにより供給される。そして、供給されたシートＳは、中継ユニット１０６に向かって送り出される。尚、シート供給トレイ１０１ａ、１０１ｂ、１０１ｃにはそれぞれ、シートサイズ、シート厚、シート素材などのシート種の異なるシートが格納されている。
【００２７】
シートＳが搬送されてきた中継ユニット１０６は、中継ローラ対１０７により、そのシートＳをレジストユニット１１６における停止中のレジストローラ対１１７のニップ部に向けて搬送することで、二次転写ローラ対１３９に対するシートの傾きを是正する。そして、中継ユニット１０６は、さらに搬送方向の下流側にシートを搬送する。
【００２８】
そして、レジストユニット１１６は、傾きが是正されたシートＳを転写ベルト１３６の搬送タイミングに合わせてレジストローラ対１１７により二次転写ローラ対１３９のニップ部、即ち、二次転写位置に向けて搬送する。
【００２９】
二次転写ローラ対１３９は、二次転写位置において二次転写ローラ１３９ａと二次転写ローラ１３９ｂとでシートＳと転写ベルト１３６とを同時に挟み込むことにより、転写ベルト１３６上に形成されているフルカラーの中間転写画像をシートＳに転写する。これにより、シートＳのシート面上に画像が形成される。
【００３０】
定着ユニット１４０は、定着ローラ１４０ａと定着ローラ１４０ｂとでシートＳを挟み込んで加熱しながら加圧することにより画像を定着する。
【００３１】
分岐ローラ対１４１は、画像が定着されたシートＳを排出ローラ対１４３に向けて案内し、若しくは、反転経路入口ローラ対１４４に向けて案内する。
【００３２】
分岐爪１４２が反転経路に切り替わっている場合、反転経路入口ローラ対１４４は、シートＳを正逆回転ローラ対１４５に向けて搬送する。そして、正逆回転ローラ対１４５は、シートＳの反転タイミングを見計らって回転方向を逆転させることでシートＳの裏表を反転させる。このようにして、裏表が反転されたシートＳは、反転ローラ対１４６、１４７、１４８、１４９により中継ユニット１０６に向かって送り出される。そして、裏表が反転されて中継ユニット１０６に搬送されたシートＳは、同様のプロセスにより両面に画像が形成される。
【００３３】
また、画像形成装置１は、画像形成装置内を冷却する機内冷却ファン１５０と、画像形成装置内の温度（以下機内温度という）を測定する機内温度サーミスタ１５１を備えている。機内温度サーミスタ１５１は、所定の時間間隔で機内温度を測定する。
【００３４】
次に、本実施形態に係る画像形成装置１のハードウェア構成について、図２を参照して説明する。図２は、本実施形態に係る画像形成装置１のハードウェア構成を模式的に示すブロック図である。
【００３５】
図２に示すように、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０、専用デバイス５０、操作装置６０、表示装置７０、通信Ｉ／Ｆ８０がバス９０を介して接続されて構成されている。
【００３６】
ＣＰＵ１０は演算手段であり、画像形成装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。
【００３７】
ＨＤＤ４０は、情報の読み書きが可能な不揮発性の記憶媒体であり、画像データ等の各種データや、ＯＳ（Ｏｐｅｒａｔｉｎｇ  Ｓｙｓｔｅｍ）、各種制御プログラム、アプリケーション・プログラム等の各種プログラムを格納する。
【００３８】
専用デバイス５０は、画像形成装置１において専用の機能を実現するためのハードウェアである。即ち、専用デバイス５０は、プリンタ、ファクシミリ、スキャナ、複写機において専用の機能を実現するためのハードウェアである。このように、本実施形態に係る画像形成装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。
【００３９】
操作装置６０は、画像形成装置１に情報を入力するためのユーザインタフェースであり、キーボードやマウス、入力ボタン、タッチパネルなどの入力装置によって実現される。
【００４０】
表示装置７０は、ユーザが画像形成装置１の状態を確認するための視覚的ユーザインタフェースであり、ＬＣＤ（Ｌｉｑｕｉｄ  Ｃｒｙｓｔａｌ  Ｄｉｓｐｌａｙ）などの表示装置やＬＥＤ（Ｌｉｇｈｔ  Ｅｍｉｔｔｉｎｇ  Ｄｉｏｄｅ）などの出力装置によって実現される。
【００４１】
通信Ｉ／Ｆ８０は、画像形成装置１が他の装置と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）規格などのインタフェースが用いられる。
【００４２】
このようなハードウェア構成において、ＲＯＭ３０やＨＤＤ４０等の記憶媒体に格納されたプログラムがＲＡＭ２０に読み出され、ＣＰＵ１０がＲＡＭ２０にロードされたプログラムに従って演算を行うことにより、ソフトウェア制御部が構成される。このようにして構成されたソフトウェア制御部と、ハードウェアとの組み合わせによって、本実施形態に係る画像形成装置１の機能を実現する機能ブロックが構成される。
【００４３】
次に、本実施形態に係る画像形成装置１の機能構成について、図３を参照して説明する。図３は、本実施形態に係る画像形成装置１の機能構成を模式的に示すブロック図である。
【００４４】
図３に示すように、本実施形態に係る画像形成装置１は、機内温度サーミスタ１５１、プリントエンジン１５２、ディスプレイパネル１５３、操作ボタン１５４、ネットワークＩ／Ｆ１５５、コントローラ１６０を備える。
【００４５】
また、コントローラ１６０は、操作表示制御部１６１、入出力制御部１６２、信号入力制御部１６３、エンジン制御部１６４、設定情報記憶部１６５、印刷枚数カウント部１６６、経過時間カウント部１６７、印刷制御部１６８、印刷モード移行制御部１６９を備える。
【００４６】
機内温度サーミスタ１５１は、図２に示す専用デバイス５０によって実現される。
【００４７】
プリントエンジン１５２は、シートに対して画像形成出力を実行することにより画像を描画する画像形成部であり、具体的態様としては、電子写真方式による画像形成機構である。プリントエンジン１５２は、図２に示す専用デバイス５０によって実現される。
【００４８】
ディスプレイパネル１５３は、画像形成装置１の状態を視覚的に表示する出力インタフェースであると共に、タッチパネルとしてユーザが画像形成装置１を直接操作し若しくは画像形成装置１に対して情報を入力する際の入力インタフェースでもある。即ち、ディスプレイパネル１５３は、ユーザによる操作を受けるための画像を表示する機能を含む。ディスプレイパネル１５３は、図２に示す操作装置６０及び表示装置７０によって実現される。
【００４９】
操作ボタン１５４は、ユーザが画像形成装置１を直接操作し若しくは画像形成装置１に対して情報を入力する際の入力インタフェースである。操作ボタン１５４は、図２に示す操作装置６０によって実現される。
【００５０】
ネットワークＩ／Ｆ１５５は、ユーザが操作するＰＣ（Ｐｅｒｓｏｎａｌ  Ｃｏｍｐｕｔｅｒ）などの情報処理装置と通信するためのインタフェースである。ネットワークＩ／Ｆ１５５は、図２に示す通信Ｉ／Ｆ８０によって実現される。
【００５１】
コントローラ１６０は、ソフトウェアとハードウェアとの組み合わせによって構成される。即ち、コントローラ１６０は、ＣＰＵ１０がＲＯＭ３０やＨＤＤ４０等の記憶媒体に格納されたプログラムをＲＡＭ２０にロードし、そのプログラムに従って演算を行うことにより構成されるソフトウェア制御部と集積回路等のハードウェアとによって構成される。即ち、本実施形態においては、コントローラ１６０が画像形成装置１の制御装置として機能する。
【００５２】
操作表示制御部１６１は、ディスプレイパネル１５３に情報表示を行い若しくはディスプレイパネル１５３、操作ボタン１５４を介して入力された情報をコントローラ１６０の各部に通知する。入出力制御部１６２は、ネットワークＩ／Ｆ１５５を介して入力された情報をコントローラ１６０の各部に通知する。
【００５３】
信号入力制御部１６３は、機内温度サーミスタ１５１から入力された検知信号をコントローラ１６０の各部に通知する。エンジン制御部１６４は、プリントエンジン１５２を制御し若しくは駆動させる。設定情報記憶部１６５は、画像形成装置１が動作する際に必要となる各種設定情報を記憶する。
【００５４】
印刷枚数カウント部１６６は、ある期間において画像形成装置１が印刷したシートの枚数をカウントする。即ち、本実施形態においては、印刷枚数カウント部１６６が印刷量計測部として機能する。
【００５５】
経過時間カウント部１６７は、あるタイミングからの経過時間をカウントする。即ち、本実施形態においては、経過時間カウント部１６７が経過時間計測部として機能する。印刷制御部１６８は、印刷動作に関する制御を行う。
【００５６】
印刷モード移行制御部１６９は、画像形成装置１の各印刷モード間の移行を制御する。ここで、本実施形態に係る画像形成装置１がとり得る印刷モードと各印刷モード間の移行条件、解除条件とについて、図４〜図６を参照して説明する。
【００５７】
図４は、本実施形態に係る画像形成装置１がとり得る印刷モードと各印刷モードにおける印刷制御とを示す図である。図５は、本実施形態に係る画像形成装置１における各印刷モード間の移行条件の一例を示す図である。図６は、本実施形態に係る画像形成装置１が各印刷モード間を移行する際の様子を示す図である。
【００５８】
図４に示すように、本実施形態に係る画像形成装置１は、非制限モード、制限モード１、制限モード２、制限モード３の４つの印刷モードをとり得る。また、図５に示すように、各印刷モードには実行温度と解除温度とが設定されている。
【００５９】
そして、本実施形態に係る画像形成装置１は、ある印刷モードにおける機内温度がその印刷モードで設定されている実行温度よりも高くなると、その高い実行温度に対応する印刷モードに移行する。
【００６０】
一方、本実施形態に係る画像形成装置１は、ある印刷モードにおける機内温度がその印刷モードで設定されている解除温度未満となると、その低い実行温度に対応する印刷モードに移行する。
【００６１】
図４に示すように、非制限モードは、通常の印刷制御を行う印刷モードであり、標準の印刷速度で印刷動作を行う印刷モードである。
【００６２】
また、制限モード１は、低速印刷制御を行う印刷モードであり、非制限モード時よりも印刷速度を減速させて印刷動作を行う印刷モードである。従って、本実施形態に係る画像形成装置１は、非制限モードから制限モード１に移行することで、機内温度の上昇を抑制できる。
【００６３】
また、制限モード２は、間欠印刷制御を行うモードであり、印刷動作と休止状態とを交互に繰り返し移行する印刷モードである。即ち、本実施形態に係る画像形成装置１は、制限モード２に移行すると、予め定められている印刷枚数を連続して印刷することができる上限枚数（以下、「連続印刷上限枚数」だけ）として印刷動作を行うことができる状態（以下、「印刷可能状態」とする）となる。従って、本実施形態に係る画像形成装置１は、制限モード１から制限モード２に移行することで、機内温度の上昇を抑制できる。
【００６４】
このような印刷可能状態において、本実施形態に係る画像形成装置１は、印刷動作の実行要求である印刷ジョブを受信すると、連続印刷上限枚数だけ印刷動作を行った後、休止状態に移行する。このとき、本実施形態に係る画像形成装置１は、制限モード１と同じ印刷制御で印刷動作を行う。また、本実施形態に係る画像形成装置１は、休止状態にあるとき、機内温度の上昇を抑制するために定着ユニット１４０の定着ヒータへの電力供給を停止する。
【００６５】
そして、本実施形態に係る画像形成装置１は、休止状態に移行してから所定時間（以下、「休止時間」とする）が経過すると、再度、印刷可能状態に移行する。
【００６６】
また、制限モード３は、印刷動作停止制御を行う印刷モードであり、印刷動作を完全に停止する印刷モードである。このとき、本実施形態に係る画像形成装置１は、機内温度の上昇を抑制するために定着ユニット１４０の定着ヒータへの電力供給を停止する。従って、本実施形態に係る画像形成装置１は、制限モード２から制限モード３に移行することで、機内温度の上昇を抑制できる。
【００６７】
尚、制限モード３の実行温度は、機内温度がこの実行温度に達するとトナーの溶解や凝集が進行して画像形成装置が故障したり、印刷品質が低下したり、熱によるダメージにより画像形成装置が故障したりする可能性がある温度として設定される。そのため、制限モード３は、緊急時のセーフモードとして実行される。
【００６８】
図５、図６に示すように、印刷モードが非制限モードにあるとき、機内温度：Ｔｓが制限モード１の実行温度未満であれば、そのまま非制限モードを継続する。
【００６９】
印刷モードが非制限モードにあるとき、機内温度：Ｔｓが上昇して制限モード１の実行温度に達すると、印刷モードは非制限モードから制限モード１に移行する。従って、機内温度の上昇を抑制できる。
【００７０】
通常速度での印刷に比べ低速印刷にすると機内温度の上昇を抑制できるが、低速印刷のまま印刷が連続する場合や高温環境に画像形成装置が設置されている場合などにより機内温度は上昇する。このように機内温度が上昇しても、制限モード１で機内温度：Ｔｓが制限モード１の解除温度以上、制限モード２の実行温度未満である場合は、そのまま制限モード１を継続する。
【００７１】
これに対し、低速印刷で連続印刷されない場合や画像形成装置が低温環境に設置されている場合などにより機内温度が下がる場合がある。このように制限モード１で機内温度：Ｔｓが下降して制限モード１の解除温度未満となった場合、非制限モードに移行する。これにより、低速印刷から通常印刷になるので、利便性の低下を抑制できる。
【００７２】
一方、低速印刷のまま印刷が連続する場合や高温環境に画像形成装置が設置されている場合などにより機内温度は上昇し続けた場合、制限モード１で機内温度：Ｔｓが上昇して制限モード２の実行温度に達すると、制限モード２に移行する。従って、本実施形態に係る画像形成装置１は、制限モード１から制限モード２に移行することで、制限モード１を続けているよりも機内温度の上昇を抑制できる。
【００７３】
その後、制限モード２で機内温度：Ｔｓが制限モード２の解除温度以上、制限モード３の実行温度未満である場合、そのまま制限モード２を継続する。
【００７４】
一方、制限モード２で機内温度：Ｔｓが下降して制限モード２の解除温度未満となった場合、制限モード１に移行する。これにより、休止状態をなくすことができるので、利便性の低下を抑制できる。
【００７５】
また、制限モード２で機内温度：Ｔｓが上昇して制限モード３の実行温度に達すると、制限モード３に移行する。制限モード２から制限モード３に移行することで、制限モード２を続けているよりも機内温度の上昇を抑制できる。そして、制限モード３の実行温度のまま画像形成装置が動作することによって発生する恐れがある装置の故障を防ぐことができる。
【００７６】
尚、本実施形態においては、図４に示す各印刷モードにおける印刷制御の内容、図５に示す各印刷モードに設定されている実行温度及び解除温度、連続印刷上限枚数、休止時間に関する情報は設定情報記憶部１６５に予め記憶されている。そして、印刷制御部１６８は、必要に応じてこれらの情報を参照して印刷動作を制御する。
【００７７】
次に、印刷モードが制限モード２のときの印刷制御について図７を参照して説明する。図７は、本実施形態に係る画像形成装置１が制限モード２のときの印刷制御を説明するためのフローチャートである。尚、以下では、休止状態における休止時間をＢ秒とする。
【００７８】
図７に示すように、本実施形態に係る画像形成装置１が制限モード２にあるとき、印刷制御部１６８は、入出力制御部１６２により印刷ジョブＣが受信されると（Ｓ７０１）、間欠印刷制御における休止状態（図４）であるか否かを判定する（Ｓ７０２）。尚、ここで受信された印刷ジョブＣによる印刷枚数をＣ枚とする。
【００７９】
そして、印刷制御部１６８は、Ｓ７０２における判定処理において、休止状態にないと判定した場合（Ｓ７０２／ＮＯ）、間欠印刷制御で印刷ジョブＣが実行されるように印刷動作を制御する（Ｓ７０６）。
【００８０】
その後、印刷制御部１６８は、制限モード２が解除される前に（Ｓ７１２／ＮＯ）、再度、印刷ジョブが受信されると（Ｓ７１３／ＹＥＳ）、Ｓ７０２以降の処理を行う。再度、印刷ジョブを受信しない場合（Ｓ７１３／ＮＯ）、制限モード２が解除可能な温度であれば（Ｓ７１２／ＹＥＳ）、制限モード２が解除され（Ｓ７１６）、制限モード２にあるときの印刷制御を終了する。制限モード２が解除可能な温度でなければ（Ｓ７１２／Ｎｏ）、制限モード２の状態で印刷制御を終了する。
【００８１】
一方、印刷制御部１６８は、Ｓ７０２における判定処理において、休止状態にあると判定した場合（Ｓ７０２／ＹＥＳ）、印刷枚数が予め定められている所定枚数（以下、「設定印刷枚数」とする）を超える未実行の印刷ジョブ（以下、「残印刷ジョブ」とする）があるか否かを判定する（Ｓ７０３）。以下では、設定印刷枚数をＡ枚とする。
【００８２】
尚、この設定印刷枚数は、何枚に設定されても良いが、連続印刷上限枚数以下として設定されていれば、より効果的に機内温度の上昇を抑制できる。また、本実施形態においては、この設定印刷枚数に関する情報は、予め設定情報記憶部１６５に記憶されている。そして、印刷制御部１６８は、必要に応じてこの情報を参照して印刷動作を制御する。
【００８３】
印刷制御部１６８は、Ｓ７０３における判定処理において、残印刷ジョブがあると判定した場合（Ｓ７０３／ＹＥＳ）、そのまま休止状態を維持する（Ｓ７０５）。
【００８４】
そして、印刷制御部１６８は、休止状態が解除されて印刷可能状態に移行すると（Ｓ７１４／ＹＥＳ）、間欠印刷制御で残印刷ジョブと印刷ジョブＣとが実行されるように印刷動作を制御し（Ｓ７０６）、Ｓ７１３の処理を行う。
【００８５】
一方、印刷制御部１６８は、Ｓ７０３における判定処理において、残印刷ジョブがないと判定した場合（Ｓ７０３／ＮＯ）、印刷枚数Ｃ枚が設定印刷枚数Ａ枚以下であるか否かを判定する（Ｓ７０４）。即ち、本実施形態においては、印刷制御部１６８が印刷動作判定部として機能する。
【００８６】
印刷制御部１６８は、Ｓ７０４における判定処理において、印刷枚数Ｃ枚が設定印刷枚数Ａ枚以下ではないと判定した場合（Ｓ７０４／ＮＯ）、そのまま休止状態を維持する（Ｓ７０５）。
【００８７】
そして、印刷制御部１６８は、休止状態が解除されて印刷可能状態に移行すると（Ｓ７１４／ＹＥＳ）、間欠印刷制御で印刷ジョブＣが実行されるように印刷動作を制御し（Ｓ７０６）、Ｓ７１３の処理を行う。
【００８８】
一方、印刷制御部１６８は、Ｓ７０４における判定処理において、印刷枚数Ｃ枚が設定印刷枚数Ａ枚以下であると判定した場合（Ｓ７０４／ＹＥＳ）、休止時間Ｂ秒と休止状態に移行してからの経過時間Ｄ秒との差分（以下、「残休止時間」とする）を算出する（Ｓ７０７）。以下では、残休止時間をＢ’秒とする。このとき、経過時間Ｄ秒については、経過時間カウント部１６７がカウントする。
【００８９】
そして、印刷制御部１６８は、休止状態ではあるが印刷ジョブＣが実行されるように印刷動作を制御し（Ｓ７０８）、印刷ジョブＣの実行完了後の休止時間として、休止時間Ｂ秒を（Ｂ＋Ｂ’）秒に更新する（Ｓ７０９）。以下では、更新後の休止時間をＢ’’秒とする。
【００９０】
このように、本実施形態に係る画像形成装置１は、制限モード２における休止状態において印刷ジョブを受信した場合、その印刷ジョブによる印刷枚数が設定印刷枚数以下であれば、休止状態であってもその印刷ジョブを実行するように構成されている。従って、本実施形態に係る画像形成装置１は、利便性を向上させることが可能となる。
【００９１】
そして、本実施形態に係る画像形成装置１は、制限モード２における休止状態において印刷ジョブＣを実行した場合、その印刷ジョブＣの実行完了後の休止時間を、休止状態に移行してから実行ジョブＣが実行されるまでの経過時間Ｄ秒に応じて、即ち、残休止時間Ｂ’に応じて休止時間を更新するように構成されている。従って、本実施形態に係る画像形成装置１は、制限モード２における休止状態において印刷ジョブＣを実行した場合であっても、機内温度が上昇することを抑制することが可能となる。
【００９２】
例えば、従来の画像形成装置では、休止時間が６０秒に設定されている休止状態に移行してから５０秒後に、印刷枚数が１枚だけの印刷ジョブを受信した場合、ユーザは、１枚印刷するだけなのに１０秒間も待たされることになる。
【００９３】
本実施形態に係る画像形成装置１は、このような場合、休止状態であっても印刷ジョブを実行した後、更新後の休止時間として７０秒間の休止状態となることで、利便性と機内温度の上昇を抑制することとを両立させることが可能となっている。
【００９４】
従って、本実施形態に係る画像形成装置１は、冷却ファンやダクトなどの冷却装置を追加することなく、利便性と機内温度の上昇を抑制することとを両立させることが可能となる。これにより、本実施形態に係る画像形成装置１は、利便性を低下させることなく簡易な構成で機内温度の上昇を抑制することが可能となる。
【００９５】
その後、印刷制御部１６８は、休止時間Ｂ’’秒が経過する前に（Ｓ７１０／ＮＯ）、再度、印刷ジョブを受信した場合（Ｓ７１５／ＹＥＳ）、Ｓ７０２以降の処理を行う。一方、印刷制御部１６８は、休止時間Ｂ’’秒が経過して休止状態が解除され印刷可能状態に移行すると（Ｓ７１０／ＹＥＳ）、休止時間Ｂ’’秒を初期の休止時間Ｂ秒にリセットし（Ｓ７１１）、Ｓ７１３の処理を行う。
【００９６】
以上、説明したように、本実施形態に係る画像形成装置１は、制限モード２における休止状態において印刷ジョブを受信した場合、その印刷ジョブによる印刷枚数が設定印刷枚数以下であれば、休止状態であってもその印刷ジョブを実行するように構成されている。従って、本実施形態に係る画像形成装置１は、利便性を向上させることが可能となる。
【００９７】
そして、本実施形態に係る画像形成装置１は、制限モード２における休止状態において印刷ジョブを受信した場合、その印刷ジョブの実行完了後の休止時間を、休止状態に移行してから実行ジョブが実行されるまでの経過時間に応じて、即ち、残休止時間に応じて休止時間を更新するように構成されている。従って、本実施形態に係る画像形成装置１は、制限モード２における休止状態において印刷ジョブを実行した場合であっても、機内温度の上昇を抑制できる。
【００９８】
これにより、本実施形態に係る画像形成装置１は、冷却ファンやダクトなどの冷却装置を追加することなく、利便性と機内温度の上昇を抑制することとを両立させることが可能となる。これにより、本実施形態に係る画像形成装置１は、利便性を低下させることなく簡易な構成で機内温度の上昇を抑制することが可能となる。
【００９９】
尚、本実施形態においては、休止状態において印刷ジョブを実行した場合、その印刷ジョブの実行完了後の休止時間を、休止状態に移行してからその実行ジョブが実行されるまでの経過時間に応じて、即ち、残休止時間に応じて休止時間を更新（Ｂ＋Ｂ’）するように構成されている。
【０１００】
この他、休止状態において印刷ジョブを実行した場合、その印刷ジョブの実行完了後の休止時間は、初期の休止時間Ｂ秒よりも長い休止時間に更新するように構成されていれば良い。
【０１０１】
また、本実施形態では休止状態において印刷ジョブを実行した場合、その印刷ジョブの実行完了後の休止時間を（Ｂ＋Ｂ’）秒に更新するが、その印刷ジョブによる印刷枚数に応じて休止時間を更新するようにしても良い。
【０１０２】
即ち、休止状態において印刷ジョブを実行した場合、その印刷ジョブによる印刷枚数が多いほど休止時間が長くなるように更新するように構成されていても良い。これは、印刷枚数が多いほど機内温度が上昇するため、休止状態に移行してから機内温度がある温度まで下降するのに要する時間が長くなるためである。
【０１０３】
また、本実施形態においては、休止状態において印刷ジョブを受信した場合、その印刷ジョブによる印刷枚数と設定印刷枚数との大小関係に基づき、その印刷ジョブを実行するか否かを判定するものであるが他の形態でもよい。
【０１０４】
例えば、印刷枚数の代わりに、印刷ページ数、作像ユニット１２９や感光体ドラム１３０などの各駆動部の駆動量や駆動時間など、印刷動作に関連する印刷量を用いて、休止時間に印刷ジョブを実行するか否かを判定するように構成されていても良い。
【０１０５】
また、本実施形態においては、電子写真方式を利用した画像形成装置について説明したが、インクジェット方式やその他の方式を利用した画像形成装置についても同様に適用可能である。
【０１０６】
実施の形態２．
図８は、本実施形態に係る画像形成装置１が制限モード２にあるときの印刷制御を説明するためのフローチャートである。
【０１０７】
図８に示すように、制限モード２にあるとき、印刷制御部１６８は、入出力制御部１６２により印刷ジョブＣが受信されると（Ｓ８０１）、休止状態であるか否かを判定する（Ｓ８０２）。
【０１０８】
印刷制御部１６８は、Ｓ８０２における判定処理において、休止状態にあると判定した場合（Ｓ８０２／ＹＥＳ）、仮に印刷ジョブＣを実行したとすると、制限モード２に移行してからの印刷ペース（以下、「移行後印刷ペース」とする）が、制限モード２における印刷ペースの上限（以下、「上限印刷ペース」とする）を超えてしまうか否かを判定する（Ｓ８０３）。ここで、印刷ペースとは、単位時間当たりの印刷枚数のことである。
【０１０９】
即ち、印刷制御部１６８は、Ｓ８０２における判定処理において、休止状態にあると判定した場合（Ｓ８０２／ＹＥＳ）、仮に印刷ジョブＣを実行したとすると、以下の条件を満たすか否かを判定する（Ｓ８０３）。
Ｇ／Ｂ≧（Ｆ＋Ｃ）／Ｅ
Ｇ：連続印刷上限枚数（枚）
Ｂ：休止時間（秒）
Ｆ：制限モード２に移行してからの累積印刷枚数（枚）
Ｃ：Ｓ８０１で受信した印刷ジョブの印刷枚数（枚）
Ｅ：制限モード２に移行してからの経過時間
【０１１０】
ここで、経過時間Ｅ秒については、経過時間カウント部１６７がカウントし、累積印刷枚数Ｆ枚は累積印刷量として印刷枚数カウント部１６６がカウントする。本実施形態においては、印刷制御部１６８が単位印刷量算出部として機能し、単位時間当たりの印刷枚数が単位印刷量として算出される。
【０１１１】
印刷制御部１６８は、Ｓ８０４で仮に印刷ジョブＣを実行したとしても移行後印刷ペースが上限印刷ペースを超えることはない。したがって、Ｇ／Ｂ≧（Ｆ＋Ｃ）／Ｅを満たすと判定した場合（Ｓ８０３／ＹＥＳ）、休止状態ではあるが印刷ジョブＣが実行されるように印刷動作を制御する（Ｓ８０４）。
【０１１２】
そして、印刷制御部１６８は、制限モード２が解除可能な温度であれば（Ｓ８０５／ＹＥＳ）、制限モード２を解除し（Ｓ８１０）、制限モード２に移行してからの経過時間Ｅと制限モード２に移行してからの累積印刷枚数Ｆとを０にクリアして（Ｓ８０６）、制限モード２にあるときの印刷制御を終了する。
【０１１３】
ここでＥとＦとを０にリセットするのは、制限モード２の解除と印刷制御とが繰り返された後に間欠印刷制御が続いた結果、休止状態において大量に印刷が行われてしまうことで機内温度が上昇することを防ぐためである。
【０１１４】
一方、印刷制御部１６８は、Ｓ８０２における判定処理において、休止状態にないと判定した場合（Ｓ８０２／ＹＥＳ）、間欠印刷制御で印刷ジョブＣが実行されるように印刷動作を制御し（Ｓ８０８）、Ｓ８０５の処理を行う。
【０１１５】
また、印刷制御部１６８は、Ｓ８０３における判定処理において、仮に印刷ジョブＣを実行したとすると移行後印刷ペースが上限印刷ペースを超えてしまう、即ち、Ｇ／Ｂ≧（Ｆ＋Ｃ）／Ｅを満たさないと判定した場合（Ｓ８０３／ＮＯ）、そのまま休止状態を維持する（Ｓ８０７）。
【０１１６】
そして、印刷制御部１６８は、休止状態が解除されて印刷可能状態に移行すると（Ｓ８０９／ＹＥＳ）、間欠印刷制御で印刷ジョブＣが実行されるように印刷動作を制御し（Ｓ８０８）、Ｓ８０５の処理を行う。
【０１１７】
このように、本実施形態に係る画像形成装置１は、制限モード２における休止状態において印刷ジョブを受信した場合、移行後印刷ペースが上限印刷ペース以下である場合に限りその印刷ジョブを実行するように構成されている。そのため、本実施形態に係る画像形成装置１は、制限モード２における休止状態において印刷ジョブＣを実行した場合であっても、機内温度が上昇することを抑制することが可能となる。
【０１１８】
従って、本実施形態に係る画像形成装置１は、冷却ファンやダクトなどの冷却装置を追加することなく、利便性と機内温度の上昇を抑制することとを両立させることが可能となる。これにより、本実施形態に係る画像形成装置１は、利便性を低下させることなく簡易な構成で機内温度の上昇を抑制できる。
【０１１９】
尚、本実施形態では、休止状態においてのみＳ８０３の判定処理を行うが、印刷可能状態も含めて制限モード２にあるときには、常時、Ｓ８０３の判定処理を行うように構成されていても良い。このように構成されることで、より効果的に機内温度の上昇を抑制できる。
【０１２０】
尚、画像形成装置１は、図１の形態に限られず、シートに画像が直接形成される方式、即ち、直接転写方式の画像形成装置であっても良い。また、画像形成装置１は、図１に示すカラーの画像形成装置に限られず、モノクロの画像形成装置でもよい。
【０１２１】
図９は、直接転写方式のモノクロ画像形成装置の一例である。図１と同様の符号を付す構成については、図１と同じ機能を示すものとし、詳細な説明を省略する。
【０１２２】
１５０は外気を取り込むファンであり、取り込んだ外気をダクト２００に送り込む。送り込まれた気流は、作像ユニット１２９Ｋの上面やトナー容器２０２の外周面に向けて作像ダクト２００の吹き出し口から吐出される。これにより、作像ユニット１２９Ｋ内部の温度上昇によるトナー溶融を抑制したり、作像ユニット１２９Ｋにトナーを送り込む前のトナー容器２０２内部のトナーの溶融を抑制したりできる。
【０１２３】
図９に示す画像形成装置は、図１に比べて反転経路が短く、装置が小型である。したがって、両面に画像形成するシートＳが増えると、シートＳがもつ熱の影響で作像ユニット１２９Ｋ周辺が温かくなる。そのため、ファンの風量を大きくするかファンの個数を増やせば、作像ユニット１２９Ｋ周辺をより冷やすことができるが、騒音や装置大型化の問題が発生する。
【０１２４】
そこで、上述した実施形態を図９に示す画像形成装置に適用すれば、同様に、利便性を低下させることなく簡易な構成で機内温度の上昇を抑制できる。
【符号の説明】
【０１２５】
１  画像形成装置
２  ＡＣ電源
１０  ＣＰＵ
２０  ＲＡＭ
３０  ＲＯＭ
４０  ＨＤＤ
５０  専用デバイス
６０  操作装置
７０  表示装置
８０  通信Ｉ／Ｆ
９０  バス
１０１  シート供給トレイ
１０２  分離ローラ
１０３  シート供給ローラ対
１０４  シート供給ローラ対
１０５  シート供給ローラ対
１０６  中継ユニット
１０７  中継ローラ対
１１６  レジストユニット
１１７  レジストローラ対
１２９  作像ユニット
１３０  感光体ドラム
１３１  帯電器
１３２  現像器
１３３  除電器
１３４  光書き込み装置
１３５  一次転写ローラ
１３６  搬送ベルト
１３７  駆動ローラ
１３８  従動ローラ
１３９  二次転写ローラ対
１４０  定着ユニット
１４１  分岐ローラ対
１４２  分岐爪
１４３  排出ローラ対
１４４  反転経路入口ローラ対
１４５  正逆回転ローラ対
１４６  反転ローラ対
１４７  反転ローラ対
１４８  反転ローラ対
１４９  反転ローラ対
１５０  冷却ファン
１５１  機内温度サーミスタ
１５２  プリントエンジン
１５３  ディスプレイパネル
１５４  操作ボタン
１５５  ネットワークＩ／Ｆ
１６０  コントローラ
１６１  操作表示制御部
１６２  入出力制御部
１６３  信号入力制御部
１６４  エンジン制御部
１６５  設定情報記憶部
１６６  印刷枚数カウント部
１６７  経過時間カウント部
１６８  印刷制御部
１６９  印刷モード移行制御部
【先行技術文献】
【特許文献】
【０１２６】
【特許文献１】特開２０１２−１９８４９５号公報
【図１】
0006665552.tif 000002
【図２】
0006665552.tif 000003
【図３】
0006665552.tif 000004
【図４】
0006665552.tif 000005
【図５】
0006665552.tif 000006
【図６】
0006665552.tif 000007
【図７】
0006665552.tif 000008
【図８】
0006665552.tif 000009
【図９】
0006665552.tif 000010